(57)【要約】【課題】複数のディスクを格納しても、容易に所望のディスクを探し出すことができるディスク格納装置及びディスク格納方法を提供する。【解決手段】ディスクがディスク投入口１３から投入され、ディスク投入口１３が閉じられるときに、例えばユーザごとに対応するキー２１−１〜２１−ＮのＮ個のキーのうちの操作されたキーと、投入されたディスクの格納部１２内の格納箇所とが対応付けられディスク格納テーブルとしてメモリ４に記憶されている。そして、格納されたディスクの検索時には、複数のキー２１−１〜２１−Ｎのうちの操作されたキーに対応付けられた格納箇所のディスクが抽出されて表示部５に表示される。【選択図】図１
2009252258.tif 000002
【特許請求の範囲】
【請求項１】
ディスクを投入可能なディスク投入口と、前記ディスク投入口に投入された複数のディスクを格納可能な複数の格納箇所を有する格納部と、前記ディスク投入口に投入されたディスクを前記格納部のいずれかの格納箇所に搬送する搬送機構と、を有するディスクチェンジャ機構と、
複数の操作キーを有する操作部と、
表示部と、
前記ディスク投入口にディスクが投入され前記操作部の複数の操作キーのいずれかが操作された場合に、前記搬送機構により投入されたディスクを前記格納部のいずれかの格納箇所に格納させ、前記操作された操作キーと当該ディスクが格納された格納箇所とを対応付けておき、前記複数の操作キーのいずれかに対する操作を含む前記操作部に対する所定の操作に応じて、前記格納部に格納されたディスクのうち、前記操作された操作キーに対応付けられた格納箇所に格納された全てのディスクを抽出し、抽出された全てのディスクに関する情報を前記表示部に表示させる制御部と、
を有するディスク格納装置。
【請求項２】
当該ディスク格納装置は、メモリを有し、
前記ディスクチェンジャ機構は、ディスクに対するデータの読み出し及び書き込みを行うドライブを有し、
前記制御部は、所定のネットワークに接続されており、前記ドライブによりディスクから読み出した所定のデータを基に、当該ディスクに関する所定の情報を前記所定のネットワークから取得し、前記メモリに記憶させる
請求項１に記載のディスク格納装置。
【請求項３】
前記制御部は、ディスクに関する所定の情報と、当該ディスクが格納された格納箇所と、当該ディスクが投入された際に操作された前記操作部の操作キーとのうち少なくとも２つを対応付けて生成した所定のテーブルを前記メモリに記憶させる
請求項２に記載のディスク格納装置。
【請求項４】
ディスクを投入可能なディスク投入口と、前記ディスク投入口に投入された複数のディスクを格納可能な複数の格納箇所を有する格納部と、前記ディスク投入口に投入されたディスクを前記格納部のいずれかの格納箇所に搬送する搬送機構と、を有するディスクチェンジャ機構と、複数の操作キーを有する操作部と、表示部とを有するディスク格納装置が、
前記複数の操作キーのいずれかが操作されたか否かを判定する第１の工程と、
前記第１の工程において前記複数の操作キーのいずれかが操作されたと判定された場合に、前記ディスク投入口にディスクが投入されたか否かを判定する第２の工程と、
前記第２の工程において前記ディスク投入口にディスクが投入されたと判定された場合に、投入されたディスクを前記搬送機構により前記格納部のいずれかの格納箇所に格納させる第３の工程と、
前記第１の工程において操作された操作キーと前記第３の工程においてディスクが格納された格納箇所とを対応付ける第４の工程と、
前記複数の操作キーのいずれかに対する操作を含む前記操作部に対する所定の操作がなされたか否かを判定する第５の工程と、
前記第５の工程において所定の操作がなされたと判定された場合に、前記格納部に格納されたディスクのうち、前記操作された操作キーに対応付けられた格納箇所に格納された全てのディスクを抽出する第６の工程と、
前記第６の工程において抽出された全てのディスクに関する情報を前記表示部に表示させる第７の工程と、
を実行するディスク格納方法。
【請求項５】
ディスクを投入可能なディスク投入口と、前記ディスク投入口に投入された複数のディスクを格納可能な複数の格納箇所を有する格納部と、前記ディスク投入口に投入されたディスクを前記格納部のいずれかの格納箇所に搬送する搬送機構と、を有するディスクチェンジャ機構と、
選択キー及び決定キーを有する操作部と、
表示部と、
前記ディスク投入口にディスクが投入され、前記操作部の選択キーが少なくとも１回操作された場合に、前記搬送機構により投入されたディスクを前記格納部のいずれかの格納箇所に格納させ、前記選択キーに対してされた操作の回数と当該ディスクが格納された格納箇所とを対応付けておき、前記選択キーに対する少なくとも１回の操作を含む前記操作部に対する所定の操作に応じて、前記格納部に格納されたディスクのうち、前記選択キーに対してされた操作の回数に対応付けられた格納箇所に格納された全てのディスクを抽出し、抽出された全てのディスクに関する情報を前記表示部に表示させる制御部と、
を有するディスク格納装置。
【発明の詳細な説明】
【技術分野】
【０００１】
本発明は、複数のディスクを格納可能なディスク格納装置及びディスク格納方法に関する。
【背景技術】
【０００２】
複数のディスク、例えば、ＣＤ、ＤＶＤ、ＢＤ（Blu-ray Disc：登録商標）等を格納し、ユーザの操作に応じて所望の１枚のディスクを選択することが可能なディスク格納装置が知られている。
このようなディスク格納装置に複数のディスクを格納する場合、ユーザに対してどのようなディスクが格納されているのかを知ることができる仕組みが必要である。
【発明の開示】
【発明が解決しようとする課題】
【０００３】
ユーザが複数のディスクの中から所望のディスクを容易に探し出すことができるようになるためには、例えば、複数のディスクを複数のカテゴリに分類してユーザに示す、という方法がある。
この場合、ディスクに記憶されている内容のジャンル・出演者・タイトル名等、ディスクに関する各種情報を基にカテゴリ分類することが一般的である。これを実現するためには、複数のディスクのそれぞれに対応した各種情報がユーザの手などによって予め入力され記憶されている必要がある。
しかし、複数のディスクに対応した各種情報をユーザが入力するためには多大な労力が必要であった。
【０００４】
最近では、ディスクに予め書き込まれた目次情報（ＴＯＣ：Table of Contents）を基に、インターネットを介してデータベースに接続し、データベースからディスクに関する各種情報（タイトル名、ジャンル、出演者等）を自動的に獲得することができる検索サービスが実用化されている。このような検索サービスを利用すれば、ユーザの手を煩わせることなく複数のディスクに関する各種情報を入手し、入手した各種情報を基にカテゴリ分類することが可能である。
【０００５】
上述したような複数のディスクの各種情報を基にカテゴリ分類する方法では、ディスクの枚数が特に多い場合や、インターネットに接続できない場合には、ユーザは格納された複数のディスクを容易に認識できず、所望のディスクを容易に探し出すことができない、という不利益があった。
また、インターネット等からディスクに関する各種情報を入手しても、ディスクが大量に格納されている場合では、所望のディスクを探し出すことが容易ではない、という不利益があった。
【０００６】
本発明は上述した不利益を解消するためになされたものであり、複数のディスクを格納しても、容易に所望のディスクを認識できるディスク格納装置及びディスク格納方法を提供することを目的とする。
【課題を解決するための手段】
【０００７】
上記した不利益を解消するために、第１の発明のディスク格納装置は、ディスクを投入可能なディスク投入口と、前記ディスク投入口に投入された複数のディスクを格納可能な複数の格納箇所を有する格納部と、前記ディスク投入口に投入されたディスクを前記格納部のいずれかの格納箇所に搬送する搬送機構と、を有するディスクチェンジャ機構と、複数の操作キーを有する操作部と、表示部と、前記ディスク投入口にディスクが投入され前記操作部の複数の操作キーのいずれかが操作された場合に、前記搬送機構により投入されたディスクを前記格納部のいずれかの格納箇所に格納させ、前記操作された操作キーと当該ディスクが格納された格納箇所とを対応付けておき、前記複数の操作キーのいずれかに対する操作を含む前記操作部に対する所定の操作に応じて、前記格納部に格納されたディスクのうち、前記操作された操作キーに対応付けられた格納箇所に格納された全てのディスクを抽出し、抽出された全てのディスクに関する情報を前記表示部に表示させる制御部と、を有する。
【０００８】
第２の発明のディスク格納方法は、ディスクを投入可能なディスク投入口と、前記ディスク投入口に投入された複数のディスクを格納可能な複数の格納箇所を有する格納部と、前記ディスク投入口に投入されたディスクを前記格納部のいずれかの格納箇所に搬送する搬送機構と、を有するディスクチェンジャ機構と、複数の操作キーを有する操作部と、表示部とを有するディスク格納装置が、前記複数の操作キーのいずれかが操作されたか否かを判定する第１の工程と、前記第１の工程において前記複数の操作キーのいずれかが操作されたと判定された場合に、前記ディスク投入口にディスクが投入されたか否かを判定する第２の工程と、前記第２の工程において前記ディスク投入口にディスクが投入されたと判定された場合に、投入されたディスクを前記搬送機構により前記格納部のいずれかの格納箇所に格納させる第３の工程と、前記第１の工程において操作された操作キーと前記第３の工程においてディスクが格納された格納箇所とを対応付ける第４の工程と、前記複数の操作キーのいずれかに対する操作を含む前記操作部に対する所定の操作がなされたか否かを判定する第５の工程と、前記第５の工程において所定の操作がなされたと判定された場合に、前記格納部に格納されたディスクのうち、前記操作された操作キーに対応付けられた格納箇所に格納された全てのディスクを抽出する第６の工程と、前記第６の工程において抽出された全てのディスクに関する情報を前記表示部に表示させる第７の工程と、を実行する。
【０００９】
第３の発明のディスク格納装置は、ディスクを投入可能なディスク投入口と、前記ディスク投入口に投入された複数のディスクを格納可能な複数の格納箇所を有する格納部と、前記ディスク投入口に投入されたディスクを前記格納部のいずれかの格納箇所に搬送する搬送機構と、を有するディスクチェンジャ機構と、選択キー及び決定キーを有する操作部と、表示部と、前記ディスク投入口にディスクが投入され、前記操作部の選択キーが少なくとも１回操作された場合に、前記搬送機構により投入されたディスクを前記格納部のいずれかの格納箇所に格納させ、前記選択キーに対してされた操作の回数と当該ディスクが格納された格納箇所とを対応付けておき、前記選択キーに対する少なくとも１回の操作を含む前記操作部に対する所定の操作に応じて、前記格納部に格納されたディスクのうち、前記選択キーに対してされた操作の回数に対応付けられた格納箇所に格納された全てのディスクを抽出し、抽出された全てのディスクに関する情報を前記表示部に表示させる制御部と、を有する。
【発明の効果】
【００１０】
本発明によれば、複数のディスクを格納しても、容易に所望のディスクを認識できるディスク格納装置及びディスク格納方法を提供することができる。
【発明を実施するための最良の形態】
【００１１】
以下、本発明の実施形態について説明する。
＜第１実施形態＞
図１は、本発明の第１実施形態のディスク格納装置１００の構成の一例を示すブロック図である。
図１に示すように、ディスク格納装置１００は、ディスクチェンジャ機構１（本発明のディスクチェンジャ機構に対応）、操作部２（本発明の操作部に対応）、主制御部３（本発明の制御部に対応）、メモリ４（本発明のメモリに対応）、表示部５（本発明の表示部に対応）、チェンジャ機構制御部６を有する。
ディスクチェンジャ機構１は、複数のディスク、例えばＣＤ、ＤＶＤ、ＢＤ等を格納し、そのうち選択された１つのディスクを抽出して利用可能な機構であり、ドライブ１１（本発明のドライブに対応）、格納部１２（本発明の格納部に対応）、ディスク投入口１３（本発明のディスク投入口に対応）、搬送機構１４（本発明の搬送機構に対応）を有する。
【００１２】
ドライブ１１は、ディスク内のデータを読み出し再生を行ったり、ディスクに対してデータを書き込んだりする駆動装置である。
格納部１２は、複数のディスクを格納する格納箇所を複数有する。
ディスク投入口１３は、ディスクチェンジャ機構１に対してディスクを投入するための部位である。
搬送機構１４は、ディスクの搬送を行う機構である。
【００１３】
ディスクチェンジャ機構１の動作例について簡単に説明する。
まず、ディスク投入口１３にディスクが投入されると、搬送機構１４がディスク投入口１３に投入されたディスクを格納部１２まで搬送して格納させる。格納部１２は、図示は省略するが、例えばディスクを格納するための格納箇所を有した複数の円盤部材により構成されており、搬送機構１４は格納部１２の複数の格納箇所に格納されたディスクのうちの任意の１枚を選択的に取り出し、ディスク投入口１３或いはドライブ１１に搬送することができる。ドライブ１１は、搬送機構１４により搬送されてきたディスクからデータを読み出し、或いは当該ディスクにデータを書き込む。これらのディスクチェンジャ機構１の動作は、後述するチェンジャ機構制御部６によって制御される。
なお、本第１実施形態の格納部１２は、ディスクを大量に、例えば２００〜３００枚程度格納することを想定している。
【００１４】
操作部２は、ディスク格納装置１００に対するユーザの操作を受け付ける。
操作部２は、Ｎ個（Ｎは正の整数）のキー２１を有する。図１に示すように、それぞれのキーを２１−１、２１−２…２１−Ｎと称する。
キー２１−１〜２１−Ｎは、それぞれ異なる外見的特徴（例えば色や形状等）を有し、ユーザの目に容易に判別が可能であるように構成される。
【００１５】
主制御部３は、ディスク格納装置１００の動作を統括的に制御する制御部分である。すなわち、主制御部３は、例えば操作部２に対するユーザの操作等に応じて、ディスク格納装置１００の各種動作を実行する。特に、主制御部３は、操作部２に対するユーザの操作等に応じて、ディスクチェンジャ機構１の動作をチェンジャ機構制御部６に制御させる指示を行う。
また、主制御部３はネットワーク２００（例えば、インターネット）と接続されている。主制御部３は、ディスクチェンジャ機構１のドライブ１１にディスクに予め書き込まれたＴＯＣ情報を読み出させ、ネットワーク２００上のＴＯＣ情報を基にした検索サービス部、例えばＣＤＤＢ（Compact Disc Data Base）３００に接続して当該ディスクに関する各種情報を取得してメモリ４に記憶させることができる。ディスクに関する各種情報とは、例えばディスクのタイトル（名称）、収録コンテンツのタイトル、演奏者、出演者、作詞作曲者、発売年月日等である。
【００１６】
メモリ４は、例えば主制御部３に接続され、ディスク格納装置１００の各種動作に関する各種情報を記憶する。メモリ４は、例えば不揮発性メモリ、例えばＥＥＰＲＯＭ：Electrically Erasable and Programmable Read Only Memory、或いはＨＤＤ（Hard Disk Drive）等により構成される。
表示部５は、液晶ディスプレイ（ＬＣＤ：Liquid Crystal display）や有機ＥＬ（Electro Luminescence）ディスプレイデバイス等により構成される表示デバイスであり、主制御部３の制御に従って、各種表示動作を行う。例えば、ディスクチェンジャ機構１の格納部１２に格納された複数枚のディスクの中からユーザに所望のディスクを選択させるためのガイド的な表示を行うことができる。
チェンジャ機構制御部６は、主制御部３の指示に応じて、ディスクチェンジャ機構１の動作を制御する。
【００１７】
以下、本第１実施形態のディスク格納装置１００に、ユーザがディスクを投入し、当該ディスクがディスクチェンジャ機構１の格納部１２に格納されるときの動作例について説明する。
図２は、ディスク格納装置１００に、ユーザがディスクを投入し、当該ディスクがディスクチェンジャ機構１の格納部１２に格納されるときの動作例について説明するためのフローチャートである。
【００１８】
ステップＳＴ１：
主制御部３は、操作部２に対する所定の操作がなされたか否かを判定する。操作部２に対する所定の操作がなされたと判定した場合はステップＳＴ２に進み、されなかったと判定した場合はステップＳＴ１を繰り返す。なお、本ステップＳＴ１における操作部２に対する所定の操作とは、例えば操作部２が有する図示しない解放キーに対する押下操作などである。
ステップＳＴ２：
主制御部３は、ステップＳＴ１における操作部２に対する所定の操作に応じて、ディスクチェンジャ機構１のディスク投入口１３を解放する。
【００１９】
ステップＳＴ３：
主制御部３は、操作部２のキー２１−１〜２１−Ｎのいずれかが操作されたか否かを判定する。操作部２のキー２１−１〜２１−Ｎのいずれかが操作されたと判定した場合はステップＳＴ４に進み、されなかったと判定した場合はステップＳＴ３を繰り返す。
ステップＳＴ４：
主制御部３は、ステップＳＴ３における操作部２のキー２１−１〜２１−Ｎのいずれかの操作に応じて、ディスクチェンジャ機構１のディスク投入口１３を閉じる。
【００２０】
ステップＳＴ５：
主制御部３は、ステップＳＴ２において解放されたディスク投入口に、ステップＳＴ４においてディスク投入口１３が閉じられるより以前にディスクが投入されたか否かを判定する。投入されたと判定した場合はステップＳＴ６に進み、されなかったと判断した場合は処理を終了する。
ステップＳＴ６：
主制御部３は、ステップＳＴ２からステップＳＴ４の間にディスク投入口１３に投入されたディスクを、ディスクチェンジャ機構１の格納部１２に格納する。
【００２１】
ステップＳＴ７：
主制御部３は、ステップＳＴ６においてディスクを格納した格納部１２における格納箇所と、ステップＳＴ４においてディスク投入口を閉じる際に操作されたキーとを対応付ける。
具体的には、例えば、ステップＳＴ４において操作されたキーがキー２１−ｎ（ｎは１≦ｎ≦Ｎを満たす整数）であったとする。また、格納部１２に格納可能なディスクの枚数がＭ枚であった（格納部１２がＭ個の格納箇所を有する）場合に、格納部１２の格納箇所を１からＭまでナンバリングしたとき、ステップＳＴ６においてディスクを格納した格納箇所がｍ番目（ｍは１≦ｍ≦Ｍを満たす整数）の格納箇所であったとする。この場合、主制御部３は、どのキーによりディスク投入口１３が閉じられたかを示すキーパラメータｎと、何番目の格納箇所に格納されたかを示す格納パラメータｍとを対応付けて、例えばディスク格納テーブルを生成して書き込み、メモリ４に記憶させる。
【００２２】
なお、図２に示したフローチャートにおいて、主制御部３は、格納されたディスクのＴＯＣ情報を基に、ディスク内のデータに関する各種情報をネットワーク２００から入手し、入手した各種情報をステップＳＴ７において生成されたディスク格納テーブルに加えて記憶させるようにしてもよい。この場合のディスク格納装置１００の動作例について図３に示す。
図３は、ディスク内のデータに関する各種情報をネットワーク２００から入手する場合のディスク格納装置１００の動作例を説明するためのフローチャートである。図３に示すように、ディスク内のデータに関する各種情報をネットワーク２００から入手する場合のディスク格納装置１００の動作例においては、ステップＳＴ８及びステップＳＴ９が上述した図２に示すフローチャートのステップＳＴ５とステップＳＴ６の間に加わる。なお、ステップST８は、主制御部３がチェンジャ機構制御部６を介して、搬送機構１４に投入されたディスクをドライブ１１に搬送させてドライブ１１にディスク内のデータを読み取らせるステップである。また、ステップＳＴ９は、主制御部３がディスクから読み取ったデータを基に、ネットワーク２００から当該ディスクに関する各種情報を入手するステップである。
【００２３】
なお、上述した図２に示すフローチャートでは、ステップＳＴ２においてディスク投入口１３を開放させるためのステップＳＴ１における操作部２に対する所定の操作は、例えば操作部２が有する図示しない解放キーに対する押下であるとしたが、本発明はこれには限定されない。例えば、複数のキー２１−１〜２１−Ｎのいずれかが操作された際にディスク投入口１３を解放するようにしてもよい。
【００２４】
ディスク投入に応じたディスク格納時に、ディスク格納装置１００が上記のような動作を行うことにより、投入され格納された個々のディスクと、当該ディスクが投入されたときに操作されたキーとが対応付けられることになる。
このように構成された本第１実施形態のディスク格納装置１００は、以下のような利用形態で利用することが考えられる。
本第１実施形態のディスク格納装置１００の利用形態の具体例として、ユーザＡ、Ｂ、Ｃ、Ｄの４人のユーザがディスク格納装置１００を利用することを考える。
ユーザＡ〜Ｄの４人は、それぞれがディスクをディスク格納装置１００に投入してディスク投入口１３を閉じるために操作部２におけるキー２１−１〜２１−Ｎのいずれかのキーを操作する際に、ユーザごとに異なるキーを操作するように予めユーザ間で取り決めをしておく。例えば、ユーザＡは必ずキー２１−１を、ユーザＢはキー２１−２を、ユーザＣはキー２１−３を、ユーザＤはキー２１−４を操作するように４人の間で予め取り決めをしておくとする。
【００２５】
このように取り決めをしておくことにより、ユーザＡ〜Ｄのそれぞれに対応した、どのキーの操作によりディスク投入口１３が閉じられたかを示すキーパラメータｎが、格納部１２における格納箇所を示す格納パラメータｍと対応付けられてディスク格納テーブルとしてメモリ４に記憶される。
上記の例では、ユーザＡにより投入されたディスクは、メモリ４に記憶されたディスク格納テーブルにおいて、必ずｎ＝１に対応付けられた格納箇所に格納されていることになる。また、ユーザＢにより投入されたディスクは、ディスク格納テーブルにおいて、必ずｎ＝２に対応付けられた格納箇所に格納されていることになる。また、ユーザＣにより投入されたディスクは、ディスク格納テーブルにおいて、必ずｎ＝３に対応付けられた格納箇所に格納されていることになる。また、ユーザＤにより投入されたディスクは、ディスク格納テーブルにおいて、必ずｎ＝４に対応付けられた格納箇所に格納されていることになる。すなわち、ディスク格納装置１００に投入されたディスクは、必ずユーザＡ〜Ｄのいずれかに対応付けられている。従って、ディスク格納装置１００を利用した複数のユーザ間のディスク管理が容易に行うことができるようになる。
【００２６】
なお、ここでは本第１実施形態のディスク格納装置１００の具体的な利用形態の一例として、ディスクをディスク投入口１３に投入後、ディスク投入口１３を閉じるために操作するキーを予めユーザごとに異なるように取り決めをしておく場合について説明したが、本第１実施形態のディスク格納装置１００の利用形態はこれに限定されない。
例えば、１人のユーザがディスク格納装置１００を利用する場合でも、例えばディスクに記憶されたコンテンツのジャンルごとに異なるキーを操作してディスク投入口１３を閉じるように予め決めておく。そうすれば、大量のディスクがディスク格納装置に格納されている場合でも、ディスク格納装置１００に格納された全てのディスクが、いずれかのジャンルに対応付けられることになり、所望のディスクを探し出すことが容易になる。具体的には、例えば、（１）洋画が収録されたＤＶＤの投入時にはキー２１−１を操作、（２）邦画が収録されたＤＶＤの投入時にはキー２１−２を操作、（３）ミュージッククリップが収録されたＤＶＤの投入時にはキー２１−３を操作、（４）音楽ＣＤの投入時にはキー２１−４を操作、（５）その他のジャンルのディスクの投入時にはキー２１−Ｎを操作、というように予め決めておく。そうすれば、（１）洋画ＤＶＤはディスク格納テーブルにおいてキーパラメータｎ＝１に対応付けられた格納箇所に格納され、（２）邦画ＤＶＤはキーパラメータｎ＝２に対応付けられた格納箇所に格納され、（３）ミュージッククリップのＤＶＤはキーパラメータｎ＝３に対応付けられた格納箇所に格納され、（４）音楽ＣＤはキーパラメータｎ＝４に対応付けられた格納箇所に格納され、（５）その他のディスクはキーパラメータｎ＝Ｎに対応付けられた格納箇所に格納されていることになるため、ディスクの管理が容易になる。
すなわち、本第１実施形態のディスク格納装置１００は、異なるカテゴリごとに異なるキーを操作してディスク投入口１３を閉じるように予め決めておくことにより、当該カテゴリによるディスクの分類及び管理を容易に行うことができるように構成されている。
【００２７】
以下、上述したようにディスク格納装置１００に投入され格納された複数のディスクの中から、ユーザが所望の１枚のディスクを探し出すときのディスク格納装置１００の動作例について説明する。
図４は、ディスク格納装置１００に投入され格納された複数のディスクの中から、ユーザが所望の１枚のディスクを探し出すときのディスク格納装置１００の動作例について説明するためのフローチャートである。
【００２８】
ステップＳＴ１１：
主制御部３は、操作部２に対してディスクを検索するための操作がなされたか否かを判定する。ディスク検索操作が行われたと判定した場合はステップＳＴ１２に進み、行われていないと判定した場合はステップＳＴ１１を繰り返す。
ステップＳＴ１２：
主制御部３は、キー２１−１〜２１−Ｎのいずれかのキーが操作されたか否かを判定する。いずれかのキーが操作されたと判定した場合はステップＳＴ１３に進み、行われていないと判定した場合はステップＳＴ１２を繰り返す。
【００２９】
ステップＳＴ１３：
主制御部３は、ステップＳＴ１２において操作されたキーに対応するキーパラメータｎを基に、メモリ４に記憶されたディスク格納テーブルを参照し、キーパラメータｎに対応付けられたディスクを抽出する。
ステップＳＴ１４：
主制御部３は、ステップＳＴ１３において抽出されたディスクを一覧表示するディスク選択画面を表示部５に表示させる。
ディスク選択画面は、例えば、ディスクのタイトル等が一覧表示された画面である。ディスクのタイトルは、主制御部３がメモリ４のディスク格納テーブルを参照することにより得られる。ここで、ディスクのタイトル等のディスクに関する情報がディスク格納テーブルに記憶されていない場合には、代わりに通し番号（ディスク１、ディスク２…等）のようなものを表示するようにすればよい。
【００３０】
ステップＳＴ１５：
主制御部３は、ステップＳＴ１４において表示部５に表示されたディスク選択画面において、操作部２に対していずれかのディスクを選択する操作がなされたか否かの判定を行う。操作がなされたと判定した場合はステップＳＴ１６に進み、なされたかったと判定した場合はステップＳＴ１５を繰り返す。
ステップＳＴ１６：
主制御部３は、ステップＳＴ１５においてなされたと判定した操作部２に対する選択操作に応じて、選択されたディスクに対して操作に応じた処理を行う。すなわち、選択されたディスクの再生、取り出し、或いは選択されたディスクへの記録等の処理を実行する。
【００３１】
上述したように、ユーザはディスクを投入しディスク投入口を閉じる際に使用するキーをキー２１−１〜２１−Ｎのいずれか１つに決めておくことにより、格納部１２に格納された複数のディスクの中から自らが投入したディスクを容易に選択することが可能になる。従って、ディスク格納装置１００に大量のディスクが格納されている場合でも、ユーザは容易に自らが投入したディスクを抽出し、その中から所望のディスクを容易に探し出すことができるようになる。
【００３２】
以上説明したように、本第１実施形態のディスク格納装置１００によれば、ディスクがディスク投入口１３から投入され、ディスク投入口１３が閉じられるときに、キー２１−１〜２１−ＮのＮ個のキーのうちの操作されたキーと、投入されたディスクの格納部１２内の格納箇所とが対応付けられディスク格納テーブルとしてメモリ４に記憶されている。そして、格納されたディスクの検索時には、複数のキー２１−１〜２１−Ｎのうちの操作されたキーに対応付けられた格納箇所のディスクが抽出されて表示部５に表示される。このため、例えば複数の異なるカテゴリのそれぞれに応じて、ディスクの投入時に決まったキーを使用するように予め取り決めをしておくことにより、格納されたディスクがどのカテゴリに対応付けられたものであるのかがディスク格納テーブルを参照することにより容易に判るようになっている。主制御部３は、ディスク格納テーブルを参照することにより各カテゴリに対応したディスクを容易に抽出することができる。これにより、ユーザは各カテゴリのディスクを容易に認識でき、複数のディスクの中から所望のディスクを容易に探し出すことができるようになる。
【００３３】
＜第２実施形態＞
上述した第１実施形態では、ディスク格納装置１０１が複数のキー２１−１〜２１−Ｎを有する操作部２を有する構成を一例として示した。本第２実施形態では、操作部２が複数のキー２１−１〜２１−Ｎの代わりに、選択キー２２及び決定キー２３を有する。
第２実施形態のディスク格納装置１０１の構成の一例を図５に示す。
【００３４】
第２実施形態におけるディスク格納装置１０１では、ディスクの投入前に、予めディスク分類のための少なくとも１つのカテゴリが登録される。カテゴリの登録は、例えば操作部２を介したユーザの操作により行われる。登録されるカテゴリは、例えば、ディスクを投入するユーザ、或いは、ディスク内のコンテンツのジャンル等である。
第２実施形態におけるディスク格納装置１０１の動作例を図６に示す。
図６は、第２実施形態のディスク格納装置１０１の動作例を示すフローチャートである。
ステップＳＴ２１：
主制御部３は、操作部２に対する所定の操作がなされたか否かを判定する。操作部２に対する所定の操作がなされたと判定した場合はステップＳＴ２２に進み、されなかったと判定した場合はステップＳＴ２１を繰り返す。なお、本ステップＳＴ２１における操作部２に対する所定の操作とは、例えば操作部２が有する図示しない解放キーに対する押下操作などである。
ステップＳＴ２２：
主制御部３は、ステップＳＴ２１における操作部２に対する所定の操作に応じて、ディスクチェンジャ機構１のディスク投入口１３を解放する。
【００３５】
ステップＳＴ２３：
主制御部３は、操作部２の選択キー２２が操作されたか否かを判定する。選択キー２２が操作されたと判定した場合はステップＳＴ２４に進み、されなかったと判定した場合はステップＳＴ２３を繰り返す。
ステップＳＴ２４：
主制御部３は、ステップＳＴ２３における選択キー２２の操作に応じて、ディスクチェンジャ機構１の表示部５の表示を変化させる。
表示部５には、予め登録された少なくとも１つのカテゴリのうち１つが表示されており、主制御部３は、ステップＳＴ２３における選択キー２２に対する操作を検出するたびに、現在表示されているカテゴリから異なるカテゴリへと表示部５の表示を変化させる。表示部５におけるカテゴリの表示順序は予めカテゴリの登録時などに決められており、表示部５の表示の変化はこの表示順序に従う。
第２実施形態における、選択キー２２に対する操作に応じたカテゴリが切り替わる表示の一例を図７に示す。
図７は、第２実施形態における、選択キー２２に対する操作に応じたカテゴリが切り替わる表示の一例を示した図である。
図７に示すように、選択キー２２が操作される度にカテゴリが切り替わって表示される。登録されている最後のカテゴリが表示されているときに選択キー２２が操作された場合は、最初のカテゴリに戻って表示を行うようにすればよい。
【００３６】
ステップＳＴ２５：
主制御部３は、操作部２の決定キー２３が操作されたか否かを判定する。選択キー２２が操作されたと判定した場合はステップＳＴ２６に進み、されなかったと判定した場合はステップＳＴ２３に戻る。
ステップＳＴ２６：
主制御部３は、ステップＳＴ２５における決定キー２３に対する操作に応じて、ディスクチェンジャ機構１のディスク投入口１３を閉じる。
【００３７】
ステップＳＴ２７：
主制御部３は、ステップＳＴ２２において解放されたディスク投入口に、ステップＳＴ２６においてディスク投入口１３が閉じられるより以前にディスクが投入されたか否かを判定する。投入されたと判定した場合はステップＳＴ２８に進み、されなかったと判断した場合は処理を終了する。
ステップＳＴ２８：
主制御部３は、ステップＳＴ２２からステップＳＴ２５の間にディスク投入口１３に投入されたディスクを、ディスクチェンジャ機構１の格納部１２に格納する。
【００３８】
ステップＳＴ２９：
主制御部３は、ステップＳＴ２２においてディスク投入口１３が解放されてからステップＳＴ２５において決定キー２３が操作されるまでに選択キー２２が操作された回数と、ステップＳＴ２８においてディスクを格納した格納部１２における格納箇所とを対応付ける。
具体的には、例えば、ステップＳＴ２２においてディスク投入口１３が解放されてからステップＳＴ２５において決定キーが操作されるまでに、選択キー２２が３回操作された場合、すなわち、予め登録された４番目のカテゴリが表示部５に表示されている際に決定キー２３が操作された場合、４番目のカテゴリと格納部１２における格納箇所とが対応付けられることになる。この際、主制御部３は、選択キー２２が操作された回数と、格納部１２における格納箇所とが対応付けられたテーブルを生成し、メモリ４に記憶するようにすればよい。或いは、選択キー２２が操作された回数の代わりに、決定されたカテゴリと格納部１２における格納箇所とを対応付けたテーブルを生成するようにしてもよい。
【００３９】
以上説明したように、本発明の第２の実施形態のディスク格納装置では、決定キー２３が操作されるまでに選択キー２２が操作された回数、すなわち、予め登録された少なくとも１つのカテゴリのいずれかと、格納部１２における格納箇所とが対応付けられてメモリ４に記憶される。そして、ユーザがディスクを探し出す際には、カテゴリを選択することにより選択されたカテゴリに属するディスクを一覧表示することにより、所望のディスクを探し出すことが容易になる。
【００４０】
本発明は上述した実施形態には限定されない。
すなわち、本発明の実施に際しては、本発明の技術的範囲またはその均等の範囲内において、上述した実施形態の構成要素に関し様々な変更並びに代替を行ってもよい。
【図面の簡単な説明】
【００４１】
【図１】図１は、本発明の第１実施形態のディスク格納装置の構成の一例を示すブロック図である。
【図２】図２は、ディスク格納装置に、ユーザがディスクを投入し、当該ディスクがディスクチェンジャ機構の格納部に格納されるときの動作例について説明するためのフローチャートである。
【図３】図３は、ディスク内のデータに関する各種情報をネットワークから入手する場合のディスク格納装置の動作例を説明するためのフローチャートである。
【図４】図４は、ディスク格納装置に投入され格納された複数のディスクの中から、ユーザが所望の１枚のディスクを探し出すときのディスク格納装置の動作例について説明するためのフローチャートである。
【図５】図５は、本発明の第２実施形態のディスク格納装置の構成の一例を示す図である。
【図６】図６は、第２実施形態のディスク格納装置の動作例を示すフローチャートである。
【図７】図７は、第２実施形態における、選択キーに対する操作に応じたカテゴリが切り替わる表示の一例を示した図である。
【符号の説明】
【００４２】
１００、１０１…ディスク格納装置、１…ディスクチェンジャ機構、１１…ドライブ、１２…格納部、１３…ディスク投入口、１４…搬送機構、２…操作部、２１−１〜２１−Ｎ…キー、２２…選択キー、２３…決定キー、３…主制御部、４…メモリ、５…表示部、６…チェンジャ機構制御部、２００…ネットワーク、３００…ＣＤＤＢ
【図１】
2009252258.tif 000003
【図２】
2009252258.tif 000004
【図３】
2009252258.tif 000005
【図４】
2009252258.tif 000006
【図５】
2009252258.tif 000007
【図６】
2009252258.tif 000008
【図７】
2009252258.tif 000009